(57)【要約】【課題】送信信号の一部が干渉信号として混入した受信信号を受信する際に、より有効に干渉信号を抑圧する装置を提供する。【解決手段】リピータ装置の送信信号の放射を停止した状態で測定した初期遅延プロファイルと、リピータ装置の送信信号を放射した状態で作成した通常遅延プロファイルとの差分をとって、最終遅延プロファイルを作成する。この最終遅延プロファイルに基づき、干渉信号を抑圧するための抑圧信号を作成し、加算器４で受信信号に加算する。これにより、干渉信号が抑圧された信号を送信させることができる。【選択図】図１
2010135933.tif 000002
【特許請求の範囲】
【請求項１】
送信信号の一部が干渉信号として混入した受信信号を受信するリピータ装置であって、
送信対象となる対象信号から当該対象信号と同じ振幅および位相のリファレンス信号を取り込む取込手段と、
この取込手段で取り込んだリファレンス信号にそれぞれ異なる設定時間の遅延を生じさせることにより、複数の遅延リファレンス信号として出力する遅延付加手段と、
各遅延リファレンス信号と前記受信信号との相関演算を行う相関演算手段と、
この相関演算手段による相関結果の大きさに応じていずれか一つの遅延リファレンス信号を前記干渉信号に相当する信号として特定し、特定した遅延リファレンス信号の振幅、位相並びに設定された遅延時間を表す遅延プロファイルを作成する遅延プロファイル作成手段と、
前記対象信号に基づいて生成された前記送信信号の放射を制御する送信信号制御手段と、
この送信信号制御手段の制御により前記送信信号の放射を停止させた状態で前記遅延プロファイル作成手段が作成した第１遅延プロファイルと、前記送信信号制御手段の制御により前記送信信号を放射させた状態で前記遅延プロファイル作成手段が作成した第２遅延プロファイルとの差分に基づいて最終遅延プロファイルを作成する最終遅延プロファイル作成手段と、
前記最終遅延プロファイルが表す振幅と同じ振幅で逆位相となる抑圧信号を生成し、この抑圧信号を前記最終遅延プロファイルが表す遅延時間だけ遅延させて前記受信信号に加算する信号抑圧手段と、
を備えて成るリピータ装置。
【請求項２】
前記遅延付加手段は、それぞれ前記リファレンス信号を入力とする複数の遅延器を含み、
前記相関演算手段は、前記遅延器と同数の相関積分器を含み、
個々の遅延器と相関積分器とが１対１に対応付けられている、
請求項１記載のリピータ装置。
【請求項３】
前記遅延プロファイル作成手段は、すべての遅延リファレンス信号の各々について算定された相関結果を比較し、最も高い相関結果が得られた遅延リファレンス信号の振幅、位相および前記設定時間を表す遅延プロファイルを作成する、
請求項１又は２記載のリピータ装置。
【請求項４】
前記遅延プロファイル作成手段は、前記相関演算手段がいずれかの遅延リファレンス信号についての相関演算を行う毎に、当該遅延リファレンス信号についての前記相関結果を所定の記録領域に記録し、記録後は前記設定時間を再設定可能にするとともに、再設定された設定時間だけ遅延した遅延リファレンス信号に基づき新たに前記相関演算手段で演算されて相関結果と前記記録された相関結果とを比較する、
請求項３記載のリピータ装置。
【請求項５】
前記受信信号をディジタル信号に変換するＡ／Ｄ変換器と、
ディジタル信号を前記送信信号に変換するＤ／Ａ変換器とを備えており、
前記遅延プロファイル作成手段は、それぞれ前記Ａ／Ｄ変換器および前記Ｄ／Ａ変換器のサンプリング周波数の逆数である単位時間の整数倍となる複数の遅延時間設定信号を前記遅延時間付加手段に出力することにより前記設定時間を設定する、
請求項４記載のリピータ装置。
【請求項６】
送信信号の一部が干渉信号として混入した受信信号を受信するリピータ装置における干渉信号抑圧方法であって、
前記送信信号の放射を停止させた状態で、送信対象となる対象信号から当該対象信号と同じ振幅および位相のリファレンス信号を取り込み、それぞれ異なる設定時間の遅延を生じさせることにより、複数の遅延リファレンス信号として出力し、各遅延リファレンス信号と前記受信信号との相関演算を行い、相関結果の大きさに応じていずれか一つの遅延リファレンス信号を前記干渉信号に相当する信号として特定し、特定した遅延リファレンス信号の振幅、位相並びに前記設定時間を表す第１遅延プロファイルを作成する段階と、
前記送信信号を放射させた状態で、送信対象となる対象信号から当該対象信号と同じ振幅および位相のリファレンス信号を取り込み、それぞれ異なる設定時間の遅延を生じさせることにより、複数の遅延リファレンス信号として出力し、各遅延リファレンス信号と前記受信信号との相関演算を行い、相関結果の大きさに応じていずれか一つの遅延リファレンス信号を前記干渉信号に相当する信号として特定し、特定した遅延リファレンス信号の振幅、位相並びに前記設定時間を表す第２遅延プロファイルを作成する段階と、
前記第１遅延プロファイルと前記第２遅延プロファイルとの差分に基づき最終遅延プロファイルを作成する段階と、
前記最終遅延プロファイルが表す振幅と同じ振幅で逆位相となる抑圧信号を生成し、この抑圧信号を前記最終遅延プロファイルが表す前記設定時間だけ遅延させて前記受信信号に加算する段階とを有する、
リピータ装置による干渉信号抑圧方法。
【発明の詳細な説明】
【技術分野】
【０００１】
本発明は、無線通信の中継に用いられるリピータ装置に関する。より詳しくは、受信信号と同じ周波数で送信信号を輻射する場合に生じる、受信アンテナへの回り込みにより受信信号に混入する干渉信号を抑圧する干渉信号抑圧技術に関する。リピータ装置は、中継装置あるいは無線中継ブースタと呼ばれる場合もある。
【背景技術】
【０００２】
無線基地局の電波の届きにくいビル内部、トンネル内部、山岳地帯等での電波状況を改善するために、リピータ装置が用いられている。リピータ装置では、受信信号を所定の利得で増幅した上で送信するため、受信信号と送信信号とは同一周波数となる。このため、送信信号が受信アンテナに回り込むと、この信号が所望信号に対して干渉信号（回り込み干渉信号）となり、増幅器の利得（再送利得と呼ばれる）が大きい場合には発信を引き起こすという問題があった。
【０００３】
この問題を解決する従来技術として、干渉信号が混入した受信信号からその干渉信号の残差成分を検出しておき、検出した残差成分に基づいて、干渉信号と同振幅、逆位相、同遅延時間となる抑圧信号を生成し、この抑圧信号を受信信号に加算することにより干渉信号を打ち消す技術が知られている（特許文献１参照）。特許文献１に記載された技術では、少なくとも干渉信号の遅延時間を事前に精度よく測定しておくことが必要となる。
また、干渉信号の遅延時間を検出する従来技術として、送信信号と同じ振幅で逆位相のリファレンス信号を遅延させた遅延リファレンス信号を生成し、この遅延リファレンス信号の遅延時間を１ステップずつ変化させ、変化させる毎に干渉信号が混入した受信信号との相関演算を行ない、干渉信号の遅延時間を検出する技術がある（特許文献２参照）。
【特許文献１】特開２００１−１９６９９４
【特許文献２】特開２００５−０８６４４８
【発明の開示】
【発明が解決しようとする課題】
【０００４】
しかし、特許文献２に記載された技術では、遅延プロファイルを作成する際に、リピータ装置が受信する信号に、所望信号自体の遅延プロファイルが加算されており、遅延プロファイルから干渉信号を検出する精度を高めることができない。
【０００５】
本発明の課題は、干渉信号をより高い検出精度で検出し、より有効にその抑圧を行なうリピータ装置を提供することを目的とする。
【課題を解決するための手段】
【０００６】
本発明のリピータ装置は、送信信号の一部が干渉信号として混入した受信信号を受信するリピータ装置であって、送信対象となる対象信号から当該対象信号と同じ振幅および位相のリファレンス信号を取り込む取込手段と、この取込手段で取り込んだリファレンス信号にそれぞれ異なる設定時間の遅延を生じさせることにより、複数の遅延リファレンス信号として出力する遅延付加手段と、各遅延リファレンス信号と前記受信信号との相関演算を行う相関演算手段と、この相関演算手段による相関結果の大きさに応じていずれか一つの遅延リファレンス信号を前記干渉信号に相当する信号として特定し、特定した遅延リファレンス信号の振幅、位相並びに設定された遅延時間を表す遅延プロファイルを作成する遅延プロファイル作成手段と、前記対象信号に基づいて生成された前記送信信号の放射を制御する送信信号制御手段と、この送信信号制御手段の制御により前記送信信号の放射を停止させた状態で前記遅延プロファイル作成手段が作成した第１遅延プロファイルと、前記送信信号制御手段の制御により前記送信信号を放射させた状態で前記遅延プロファイル作成手段が作成した第２遅延プロファイルとの差分に基づいて最終遅延プロファイルを作成する最終遅延プロファイル作成手段と、前記最終遅延プロファイルが表す振幅と同じ振幅で逆位相となる抑圧信号を生成し、この抑圧信号を前記最終遅延プロファイルが表す遅延時間だけ遅延させて前記受信信号に加算する信号抑圧手段と、を備えて成る。
このように、第１遅延プロファイルと第２遅延プロファイルとの差分に基づいて最終遅延プロファイルを作成することから、干渉信号の検出精度がより高い遅延プロファイルを得ることができ、より有効に干渉信号を抑圧できる。
【０００７】
前記遅延付加手段は、例えば、それぞれ前記リファレンス信号を入力とする複数の遅延器を含み、前記相関演算手段は、前記遅延器と同数の相関積分器を含み、個々の遅延器と相関積分器とが１対１に対応付けられる。これにより、それぞれ異なる設定時間だけ遅延する複数の遅延リファレンス信号の同時期での相関演算が可能となる。
【０００８】
遅延プロファイル作成手段は、例えば、すべての遅延リファレンス信号の各々についての相関結果を比較し、相関結果が最も高くなる遅延リファレンス信号の振幅、位相および前記設定時間を表す遅延プロファイルを作成する。
【０００９】
ある実施の態様では、前記遅延プロファイル作成手段は、前記相関演算手段がいずれかの遅延リファレンス信号について相関演算を行う毎に、当該遅延リファレンス信号についての相関結果を所定の記録領域に記録し、記録後は前記設定時間を再設定可能にするとともに、再設定された設定時間だけ遅延した遅延リファレンス信号に基づき新たに前記相関演算手段え得られた相関結果と前記記録された相関結果とを比較する。
相関結果を記録しておき、再設定された設定時間だけ遅延した遅延リファレンス信号に基づき新たに相関演算手段で得られた相関結果と記録された相関結果とを比較することにより、リピータ装置が有する遅延付加手段及び相関演算手段のハードウエア総数を超えた相関演算の結果を得ることができる。
【００１０】
ある実施の態様では、前記受信信号をディジタル信号に変換するＡ／Ｄ変換器と、ディジタル信号を前記送信信号に変換するＤ／Ａ変換器とを備えており、前記遅延プロファイル作成手段は、それぞれ前記Ａ／Ｄ変換器および前記Ｄ／Ａ変換器のサンプリング周波数の逆数である単位時間の整数倍となる複数の遅延時間設定信号を前記遅延時間付加手段に出力することにより前記設定時間を設定する。この場合、前記遅延プロファイル作成手段は、前記単位時間の整数倍毎に順次異ならせた複数の遅延時間設定信号を前記遅延時間付加手段に出力する。これにより、ディジタル信号処理を行うことができ、精度よく干渉信号の抑圧処理が可能となる。
【００１１】
本発明は、上記課題を解決するために、干渉信号抑圧方法を提供する。
本発明の干渉信号抑圧方法は、送信信号の一部が干渉信号として混入した受信信号を受信するリピータ装置における干渉信号抑圧方法であって、前記送信信号の放射を停止させた状態で、送信対象となる対象信号から当該対象信号と同じ振幅および位相のリファレンス信号を取り込み、それぞれ異なる設定時間の遅延を生じさせることにより、複数の遅延リファレンス信号として出力し、各遅延リファレンス信号と前記受信信号との相関演算を行い、相関結果の大きさに応じていずれか一つの遅延リファレンス信号を前記干渉信号に相当する信号として特定し、特定した遅延リファレンス信号の振幅、位相並びに前記設定時間を表す第１遅延プロファイルを作成する段階と、前記送信信号を放射させた状態で、送信対象となる対象信号から当該対象信号と同じ振幅および位相のリファレンス信号を取り込み、それぞれ異なる設定時間の遅延を生じさせることにより、複数の遅延リファレンス信号として出力し、各遅延リファレンス信号と前記受信信号との相関演算を行い、相関結果の大きさに応じていずれか一つの遅延リファレンス信号を前記干渉信号に相当する信号として特定し、特定した遅延リファレンス信号の振幅、位相並びに前記設定時間を表す第２遅延プロファイルを作成する段階と、前記第１遅延プロファイルと前記第２遅延プロファイルとの差分に基づき最終遅延プロファイルを作成する段階と、前記最終遅延プロファイルが表す振幅と同じ振幅で逆位相となる抑圧信号を生成し、この抑圧信号を前記最終遅延プロファイルが表す前記設定時間だけ遅延させて前記受信信号に加算する段階とを有する方法である。
【発明の効果】
【００１２】
本発明によれば、送信信号の放射を停止した状態で作成した第１遅延プロファイルと、送信信号を放射した状態で作成した第２遅延プロファイルとの差分に基づいて最終遅延プロファイルを作成し、この最終遅延プロファイルに基づいて、受信信号と加算する抑圧信号を生成するので、干渉信号を精度良く検出し、より有効に干渉信号を抑圧することができる。
【発明を実施するための最良の形態】
【００１３】
［リピータ装置の構成］
図１は、本実施形態のリピータ装置の機能ブロック図である。図２は、リピータ装置において、遅延プロファイルを作成する機能を有する回路の詳細構成例を示す図である。
【００１４】
これらの図に示されるように、本実施形態のリピータ装置は、図示しない受信アンテナで受信し、増幅されたアナログの受信信号をディジタル信号に変換するＡ／Ｄ変換器１と、このＡ／Ｄ変換器１の後段に設けられる加算器４と、この加算器４の後段に設けられるチップ遅延器２と、送信すべきディジタル送信信号をアナログの送信信号に変換するＤ／Ａ変換器３とを基本系統として備える。アナログ変換された送信信号は、高周波増幅された後、アンテナから放射される。
【００１５】
チップ遅延器２は、送信信号の一部が送信アンテナから受信アンテナへ回り込み、干渉信号となった際に、干渉信号が混入しない真の受信信号（以下、このような受信信号を「所望信号」と称する）と干渉信号との相関を減らすために、ＣＤＭＡ信号（CDMA:Code Division Multiple Access）信号の１チップ以上の遅延量の遅延を、受信後、所定の処理が施されたディジタルの送信対象信号（対象信号）に付加するディジタル信号処理デバイスである。
【００１６】
チップ遅延器２とＤ／Ａ変換器３との間から、ディジタルの送信対象信号と同じ振幅、同じ位相の複数の信号（リファレンス信号）を同時期に取得する。これらのリファレンス信号は、それぞれ他と独立して存在する遅延器７に同時期に入力される。
【００１７】
各遅延器７には、ＣＰＵ８から遅延時間設定信号が出力される。遅延時間設定信号は、入力信号に遅延を生じさせて出力する時間、すなわち設定時間（遅延時間）を定める信号である。各遅延器７は、この設定時間だけ、入力されたリファレンス信号に遅延を生じさせ、これを遅延リファレンス信号として出力する。遅延器７の出力は、当該遅延器７と１対１に対応して設けられる位相振幅制御器５および相関積分器６に入力される。遅延器７、相関積分器６および位相振幅制御器５の組は、複数組設けられる。
【００１８】
相関積分器６は、遅延器７から出力される遅延リファレンス信号と、加算器４から他の相関積分器６と同時期に入力される受信信号との相関演算値を算出するための演算器である。本例では、２つの信号波形（関数）の類似性を求める演算を行う。相関演算値は、波形の類似度が高いほど高い数値となる。相関演算値がゼロの場合は２つの信号には相関がない、つまり波形の類似性がないことを表す結果となる。
【００１９】
位相振幅制御器５は、遅延プロファイルに基づき、干渉信号を抑圧するための抑圧信号を生成する。振幅および位相を変えるための制御信号は、ＣＰＵ８から与えられる。加算器４には、ＣＰＵ８により選定された一つ又は複数の位相振幅制御器５で生成された抑圧信号が入力される。
【００２０】
加算器４は、干渉信号が混入された受信信号と上記の抑圧信号とを加算する。加算のタイミングは、後述する最終遅延プロファイルが表す遅延時間で決定されるタイミングとなる。
【００２１】
ＣＰＵ８は、所定のコンピュータプログラムを読み込んで実行することにより、送信信号制御、遅延プロファイル作成、最終遅延プロファイル作成のための差分算出、干渉信号抑圧の機能を形成する。
具体的には、送信信号の放射を停止した状態で、各相関積分器６を制御して、それぞれ相関演算処理を行なわせ、相関度合いを表す相関演算値を得る。また、相関積分器６で算出された相関演算値を取得してこれらを比較し、相関度合いが最も高い、つまり相関演算値が最も大きい組で生成される遅延リファレンス信号を特定し、初期遅延プロファイルを作成する。次に、送信信号を放射させた状態で、同様の処理を行い、通常遅延プロファイルを作成する。さらに、初期遅延プロファイルが表す振幅、位相及び遅延時間と通常遅延プロファイルが表す振幅、位相及び遅延時間のそれぞれの要素の差分を算出し、最終遅延プロファイルを作成する。その後、特定した組の位相振幅制御器５に対して、位相および振幅を調整するための制御信号を出力する。
【００２２】
ＣＰＵ８は、さらに上記の遅延時間設定信号を出力し、遅延器７を制御する機能も有する。
【００２３】
なお、位相振幅制御器５、相関積分器６および遅延器７により抑圧回路を構成し、さらに、ＣＰＵ８を加えて監視制御回路９を構成している。監視制御回路９は、新たな干渉信号の発生を監視し、この新たな干渉信号に対して抑圧回路（それぞれ１つの位相振幅制御器５、相関積分器６及び遅延器７の組）を新たに割り当て、複数の干渉信号の抑圧を行なうことを可能にする。
【００２４】
［干渉信号抑圧方法］
次に、上記のように構成されるリピータ装置による干渉信号抑圧方法の実施の形態例を説明する。この方法は、例えば図３および図４に示す手順で実行される。この手順は、所定のコンピュータプログラムを読み込んで実行するＣＰＵ８の制御により実現される。
【００２５】
まず、遅延器７で遅延させる遅延時間の範囲である遅延時間設定範囲を設定する（Ｓ１０１）。遅延時間設定範囲は、約１０[μｓ]程度である。この遅延時間設定範囲内で、各遅延器７に遅延時間が設定される。遅延時間は１ステップ毎に変えることができる。１ステップは、例えば、リピータ装置が受信信号をアナログ信号からディジタル信号に変換し、あるいは送信信号をディジタル信号からアナログ信号に変換する際のＡ／Ｄ変換器１、Ｄ／Ａ変換器３のサンプリング周波数の逆数である単位時間である。
次に、初期遅延プロファイルの取得の処理であるか否かの判定を行なう（Ｓ１０２）。初期遅延プロファイルの取得の処理である場合、ＣＰＵ８は、Ｄ／Ａ変換器の出力を停止する（Ｓ１０３）。これにより送信アンテナからの送信信号の放射が停止された状態となる。他方、初期遅延プロファイルの取得の処理でない場合は、通常遅延プロファイルの取得の処理であるため、ＣＰＵ８は、Ｄ／Ａ変換器の出力の停止を解除する（Ｓ１０４）。これにより送信アンテナより送信信号が放射された状態となる。
【００２６】
ＣＰＵ８は、位相振幅制御器５、相関積分器６および遅延器７により構成された複数の抑圧回路のうち、１つを回路番号ｎ＝１として設定する（Ｓ１０５）。ここで「ｎ」は、現在の処理の対象として割り当てた抑圧回路の番号であり、１ずつ増加する正の整数である。その後、最初の遅延時間（通常は遅延時間設定範囲の最小の遅延時間とする）を設定する（Ｓ１０６）。
【００２７】
図４に移り、最初の遅延時間をｎ番目の抑圧回路に属する遅延器７に設定する（Ｓ１０７）。次に、現在の遅延時間にさらに１ステップ追加することにより、次の遅延時間を決定する（Ｓ１０８）。このようにステップを順次変えていくことにより、検出精度を劣化させることなく、適切な速度で、すべての相関演算値を得ることができる。
【００２８】
１ステップ追加後、決定した遅延時間が予め設定された遅延時間設定範囲内にあるか否かを判定する（Ｓ１０９）。新たに決定した遅延時間が遅延時間設定範囲内であれば、ｎを１増加させ（Ｓ１１０）、そのｎが装置内に並列に接続された全抑圧回路数以内にあるかどうかを判定する（Ｓ１１１）。ｎが全抑圧回路数の範囲内である場合は、ステップＳ１０７の処理に戻り、ｎ番目の遅延器７に、新たな遅延時間を設定する。その後、ステップＳ１０９の判定で、遅延時間が遅延時間設定範囲外となるか、もしくは、ステップＳ１１１の判定で、ｎが回路数を超える値となるまで、ステップ１０７〜ステップＳ１１１の処理を繰り返す。
【００２９】
一方、ステップＳ１１１の判定により、ｎが全抑圧回路数の範囲外となったことが判明した場合は、各相関積分器６に、干渉信号が混入した受信信号とそれぞれの遅延時間を設定した遅延器７からの出力信号（遅延リファレンス信号）とを入力し、ｎ個分の相関演算を並行して同時に行う（Ｓ１１２）。これにより得られた複数の演算結果（相関演算値）は、その都度メモリに記録する（Ｓ１１３）。その後、再度、抑圧回路番号を「ｎ＝１」に戻して（Ｓ１１４）、ステップＳ１０７〜ステップＳ１１１の処理を繰り返す。
【００３０】
このように、一旦、リピータ装置が有する全抑圧回路数分の相関演算を行ない、その演算結果をメモリに記憶することにより、再度、遅延器７に新たな遅延時間を設定し、抑圧回路を再利用することができる。結果として、全抑圧回路数以上のパターンの相関演算を行なうことができることとなる。
【００３１】
ステップＳ１０９の判定の結果、遅延時間が、遅延時間設定範囲外となった場合は、遅延器７に遅延時間を設定するための処理を終了する。そして、すべての相関積分器６に、所望信号に干渉信号が混入した受信信号と、各々の遅延器７から出力される遅延リファレンス信号とを入力し、ｎ個分の相関演算を並行して同時に行なわせ（Ｓ１１５）、演算結果である相関演算値から遅延プロファイルを作成し、メモリに記憶させる（Ｓ１１６）。
【００３２】
例えば、相関積分器６で算定した演算結果うち、最も相関演算値の大きな演算結果を選定して、その演算結果に基づいて、干渉信号に最も相当する遅延リファレンス信号の振幅および位相と、その遅延リファレンス信号についての設定時間とを表す遅延プロファイルを作成する。この遅延リファレンス信号についての設定時間は、干渉信号が送信アンテナから受信アンテナに回り込むのに要する時間とほぼ一致する。
【００３３】
なお、本実施形態では、最も相関演算値の大きな演算結果を選定したが、例えば平均値をとるなど、いくつかの演算結果に基づいて、遅延プロファイルを作成するものとしてもよい。
【００３４】
その後、これまでの処理が初期遅延プロファイルの取得か否かの判定を行なう（Ｓ１１７）。この判定の結果が、初期遅延プロファイル取得である場合には、一旦、処理を終了し、通常遅延プロファイルの取得の処理に移行する。
【００３５】
他方、これまでの処理が、初期遅延プロファイルの取得ではなく、通常遅延プロファイルの取得である場合には、これまでの処理で取得された通常遅延プロファイルと、既に取得され、メモリに記録されている初期遅延プロファイルとを比較し、両者の振幅、位相及び遅延時間のそれぞれの差分を算出し、最終遅延プロファイルを作成する（Ｓ１１８）。
【００３６】
最終遅延プロファイルを作成した後は、干渉信号抑圧のための処理を行う。
すなわち、作成した最終遅延プロファイルに基づき、未使用の抑圧回路の遅延器７の１つに遅延時間を設定する。遅延時間を設定した後、対になる位相振幅制御器５を最終遅延プロファイルに基づき起動し、その動作環境下での抑圧回路として動作させる。
【００３７】
これにより、その抑圧回路に属する位相振幅制御器５から、干渉信号と同じ振幅で逆位相の抑圧信号が、設定された遅延時間で遅延した状態で、加算器４に入力される。加算器４は、受信信号に上記の抑圧信号を加算することにより、干渉信号を抑圧する。
【００３８】
以上が一連の処理の流れであるが、その後、さらに、干渉信号がある場合には、処理を終了せずに、ステップＳ１０２に戻って干渉信号の監視制御を続ける。
【００３９】
このように、本実施形態では、リピータ装置の送信信号の放射を停止した状態で作成した初期遅延プロファイルと、リピータ装置の送信信号を放射した状態で作成した通常遅延プロファイルとの差分をとり、この差分に基づいて最終遅延プロファイルを作成することから、干渉信号を精度良く検出し、より有効に干渉信号を抑圧することができる。
【００４０】
なお、本実施形態では、位相振幅制御器５における抑圧信号の振幅、位相の制御をＣＰＵ８で行う場合の例を説明したが、この制御を対応する相関積分器６からの相関結果に基づいて自律的に行うようにしてもよい。
【図面の簡単な説明】
【００４１】
【図１】本実施形態のリピータ装置の機能ブロック図。
【図２】遅延プロファイルを作成する機能を有する部分の構成例を示す図。
【図３】本実施形態による干渉信号抑圧方法の手順説明図。
【図４】本実施形態による干渉信号抑圧方法の手順説明図（図３の続き）。
【符号の説明】
【００４２】
１  Ａ／Ｄ変換器
２  チップ遅延器
３  Ｄ／Ａ変換器
４  加算器
５  位相振幅制御器
６  相関積分器
７  遅延器
８  ＣＰＵ
９  監視制御回路
【図１】
2010135933.tif 000003
【図２】
2010135933.tif 000004
【図３】
2010135933.tif 000005
【図４】
2010135933.tif 000006